(57)【要約】【課題】運転操作台に乗降する乗降用ステップの作物に対する悪影響や障害物との接触事故など防止した良好な設置を可能とさせる。【解決手段】運転操作台１４３に乗降する乗降用ステップ１４４を設けたコンバインにおいて、機体外側及び内側にステップ１４４を自動で張出及び収納するステップ制御機構１５６を設けると共に、運転開始部材１６４にステップ制御機構１５６を連動させる。【選択図】　　　図２８
2004113107.tif 000002
【特許請求の範囲】
【請求項１】
運転操作台に乗降する乗降用ステップを設けたコンバインにおいて、機体外側及び内側にステップを自動で張出及び収納するステップ制御機構を設けると共に、運転開始部材にステップ制御機構を連動させたことを特徴とするコンバイン。
【請求項２】
運転開始部材とステップ制御機構の連動の入切を行う制御切換部材を設けたことを特徴とする請求項１記載のコンバイン。
【請求項３】
運転操作部中央の液晶パネルに制御切換部材を設けたことを特徴とする請求項２記載のコンバイン。
【請求項４】
乗降用ステップに下端側を連結させて張出及び収納位置に操作するロッド部材を設けると共に、ロッド部材の上端側を運転席近傍に臨ませたことを特徴とするコンバイン。
【発明の詳細な説明】
【０００１】
【発明の属する技術分野】
本発明は刈取部で連続的に穀稈を刈取った穀稈を脱穀部で脱穀して穀粒を取出すコンバインに関する。
【０００２】
【発明が解決しようとする課題】
従来、運転操作台に乗降する乗降用ステップは固定構造が一般的で、機体外側及び内側にステップを張出及び収納自在に設けた構造においては構造が複雑となるばかりでなく、張出及び収納操作もステップ近傍のみで可能で運転席位置からは容易に行えないなどの不便さがあった。
【０００３】
【課題を解決するための手段】
したがって本発明は、運転操作台に乗降する乗降用ステップを設けたコンバインにおいて、機体外側及び内側にステップを自動で張出及び収納するステップ制御機構を設けると共に、運転開始部材にステップ制御機構を連動させたことによって、例えばキースイッチのオン時にはステップを自動的に収納し、オフ時にはステップを自動的に張出して、ステップの自動による確実な収納及び張出しを可能とさせて、ステップ張出しによる作業中の穀稈に対する扱きなどの悪影響や障害物との接触事故などを防止して、刈取性能を安定維持させるものである。
【０００４】
また、運転開始部材とステップ制御機構の連動の入切を行う制御切換部材を設けたことによって、例えばキースイッチのオフ時にステップを自動的に張出して建物や他機械などに不測に接触させる不都合を解消可能とさせて、ステップなど機体の耐久性向上を図るものである。
【０００５】
さらに、運転操作部中央の液晶パネルに制御切換部材を設けて、液晶パネル上の制御切換部材のタッチ操作で容易にキースイッチに連動したステップの張出しや単独の張出しを可能とさせて、ステップの有効使用を図るものである。
【０００６】
また、乗降用ステップに下端側を連結させて張出及び収納位置に操作するロッド部材を設けると共に、ロッド部材の上端側を運転席近傍に臨ませて、ロッド部材を用いた簡単な手段で運転席位置よりステップの容易な張出及び収納を行って、運転操作台に対する作業者の乗降を容易とさせると共に、圃場穀稈に対するステップの悪影響を防止するものである。
【０００７】
【発明の実施の形態】
以下、本発明の実施例を図面に基づいて詳述する。図１はコンバインの全体の斜視図、図２は同右側面図、図３は同平面図であり、図中１は左右一対の走行クローラ２を装設する左右一対のトラックフレーム、３は前記の左右トラックフレーム１に架設する機台、４はフィードチェン５を左側に張架し扱胴６及び処理胴を内蔵している脱穀機である脱穀部、７は引起機構８及び刈刃９及び穀稈搬送機構１０などを備える刈取部、１１は刈取フレーム１２を介して刈取部７を昇降させる油圧昇降シリンダ、１３は排藁チェン１４終端を臨ませる排藁処理部、１５は脱穀部４からの穀粒を揚穀筒を介して搬入する穀物タンク、１６・１７は前記タンク１５の穀粒を機外に搬出する排出オーガ、１８は運転操作ハンドル１９及び運転席２０を備える運転キャビン、２１は運転キャビン１８下方に設けるエンジンであり、連続的に穀稈を刈取って脱穀するように構成している。
【０００８】
図４、図５に示す如く、機台３前側で左右の走行クローラ２の間にミッションケース２２を配設させ、ミッションケース２２とエンジン２１を略直列に前後に設け、ミッションケース２２を介して走行クローラ２にエンジン２１の駆動力を伝えると共に、脱穀部４前側の機台３上面に左右の支持台２３・２４を立設させ、支持台２３・２４に刈取フレーム１２を介して刈取部７を昇降自在及び横移動可能に設ける。また、支持台２３・２４後側の機台３上面にカウンタケース２５を設け、脱穀部４及び刈取部７にカウンタケース２５を介してエンジン２１の駆動力を伝える。
【０００９】
また、ミッションケース２２側方の機台３にキャビン前フレーム２６を立設させ、キャビン１８のステップフレーム２７前部を前フレーム２６上部に回動支点軸２８を介して設け、支点軸２８回りにキャビン１８を前方に回動自在に支持させると共に、右の支持台２４に左のキャビン後フレーム２９を立設させ、機台３に立設させる右のキャビン後フレーム３０との間の機台３上面にエンジン２１を設け、エンジン２１をエンジンルームカバー３１で覆う。また、前記カバー３１の上方で左右の後フレーム２９・３０上部をキャビン横フレーム３２によって連結させ、キャビン横フレーム３２にフックレバー３３を設け、キャビン１８のステップフレーム２７後部を横フレーム３２に上載させてフックレバー３３により係脱自在に固定させると共に、右の支持台２４と前フレーム２６の間に水平連結フレーム３４を固定させ、水平連結フレーム３４中間と横フレーム３２中間に傾斜連結フレーム３５を固定させ、連結フレーム３４・３５によってフレーム剛性を確保する。また、左の後フレーム２９にオーガ支柱３６を連結させてオーガレスト３７を設け、昇降及び旋回自在に設ける排出オーガ１７をオーガレスト３７の本機収納位置に支持させる。
【００１０】
図６乃至図９に示す如く、前記ミッションケース２２の車軸ケース３８にファイナル受け３９などを介し連結させる走行側シャーシ４０に左右トラックフレーム１を昇降自在に支持するスイングアームの前後支点ボス４１を有すると共に、機台３を構成する車体フレーム４２に前ステー４３及び後枢着部材４４などを介しシャーシ４０を連結固定させる。
【００１１】
前記車体フレーム４２は前後方向の左右外側縦フレーム４５・４６と中間の左右縦フレーム４７・４８と、左右方向の前後外側横フレーム４９・５０と中間の横フレーム５１・５２とで格子状に形成し、前及び中間の横フレーム４９・５１間の左側に前記支持台２３・２４を、また右側に前後縦方向の左右エンジンベースフレーム５３・５４を配設させ、前記横フレーム５０より後方で縦フレーム４６・４８間の横フレーム５５に穀物タンク１５を回動支持する支点部材５６と縦排出オーガ１６を支持するオーガフレーム５７を配設させると共に、前記横フレーム５１・５２間で縦フレーム４６・４８間に穀物タンク１５の回動ローラを案内するローラ案内板５８を、また縦フレーム４７・４８間に脱穀部４の前側組付用フレーム５９を配設させている。
【００１２】
また、右側支持台２４は中間の左右縦フレーム４７・４８間で横フレーム４９・５１間に下側部を固定させ、左外側縦フレーム４５と支持台２４間に横方向の台フレーム６０を連結させ、横フレーム４９と台下部フレーム６０に左側支持台２３の下側部を固定させ、左右支持台２３・２４の上側間を台上部フレーム６１で連結させ、左支持台２３の上面に刈取部７の回動支点部６２を配置させている。
【００１３】
さらに図１０にも示す如く、左右縦フレーム４７・４８間で右支持台２４の右側及び縦フレーム４６・４８間における横フレーム４９・５１上面間に左右ベースフレーム５３・５４を連結固定させ、エンジン２１下側の前後左右側面にボルト６３止め固定する４つのブラケット６４・６５・６６・６７とベースフレーム５３・５４との間の各１組の上下防振ゴム受け６８・６９・７０・７１間に締結ボルト７２を介して防振ゴム７３を介設させて、エンジン２１駆動時に起生する上下・前後・左右振動などを防振ゴム７３で吸収緩和させて、左右ベースフレーム５３・５４上にエンジン２１を良好に搭載するように構成している。
【００１４】
前記エンジン２１はエンジンヘッドの長手方向を前後方向とさせた縦向きに左右ベースフレーム５３・５４上に配置させたもので、エンジン２１底部を形成するオイルパン７４の左右巾より左右ベースフレーム５３・５４の間隔Ｌ１を大に形成すると共に、オイルパン７４の前後巾より横フレーム４９・５１の間隔Ｌ２を大に形成して、横フレーム４９・５１間にオイルパン７４を臨ませる状態までエンジン２１位置を下げ、且つベースフレーム５３・５４によってエンジン２１の支持強度を充分に確保するように構成している。
【００１５】
図１３乃至図１５に示す如く、左右前フレーム２６上部間の横フレーム台７５に支点軸２８の軸受７６を固設し、フレーム台７５左端に固設するフレーム受け７７と右支持台２４前側上部に固設するフレーム受け７８間をブリッジフレームである連結フレーム３４で連結すると共に、連結フレーム３４の中間にミッションケース２２の上部をブラケット７９を介し取外し自在に連結させている。
【００１６】
また、前記縦フレーム４６の左側に略平行に横フレーム４９より前方に突出させる支持台フレーム８０前側のブラケット８１を固定させ、ブラケット８１にボルト止め固定するダンパ台８２とステップフレーム２７のダンパ取付板８３間にキャビン回動用アシストダンパ８４を上下枢支軸８５・８６を介し上部傾斜状に介設させ、ダンパ８４の下枢支軸８６をキャビン回動支点軸２８に近接させて、ダンパ８４の作用長さを小とさせてダンパ８４を小型化するように構成している。
【００１７】
さらに図１６、図１７にも示す如く、右支持台２４上面のベース板８７にベース枠８８を介し前記キャビン後フレーム２９を立設させ、上下の取付枠８９・９０を介し後フレーム２９に前記オーガ支柱３６と横フレーム３２とを連結させている。
【００１８】
前記キャビン１８のステップフレーム２７前側の軸受板９１を支点軸２８を介し横フレーム台７５の軸受７６に前後回動自在に支持させると共に、ステップフレーム２７後側の左右２本の係止軸９２を横フレーム３２に固設する左右取付台９３の係止台９４に係止させるもので、ステップフレーム２７のホルダ９６の防振ゴム９７に係止軸９２を貫通支持させ、係止台９４の係止溝９４ａに係止させるとき係止軸９２の両端に係合させるフック９８を設け、フック９８を固定するフック軸９９を係止台９４に回転自在に支持させ、フック軸９９とフック軸９９の右端に折曲形成するレバー部１００によってフックレバー３３を形成し、フックレバー３３の操作によって係止軸９２とフック９８との係合及び係合解除を行い、係合解除時には支点軸２８回りにキャビン１８を前方に回動させエンジン２１上方を解放するなどしてメンテナンス作業を行うように構成している。
【００１９】
また、右取付台９３と連結フレーム３４上面の係止板１０１との間を前記連結フレーム３５によって傾斜連結してキャビン後フレーム２９の補強を行うと共に、前記アシストダンパ８４を連結フレーム３５の傾斜に沿う状態に配設させて、連結フレーム３５に作用するステップフレーム２７からの衝撃力などをダンパ８４で有効に軽減させるように構成している。
【００２０】
さらに、前記横フレーム３２後面後方に突設させるフレーム取付台１０２とオーガ支柱３６後面とを連結フレーム１０３で傾斜連結させてオーガ支柱３６の補強を行うように構成している。
【００２１】
また、前記取付枠８９後方に側面視コ形状のヒッチ部材１０４を突設させ、側面視コ形状の継手部材１０５を対向状にヒッチ部材１０４内側に嵌合させてボルト１０６止め固定させ、脱穀部４右側で前箇前方に突出させる脱穀連結フレーム１０７前端の側面視コ形状の固定板１０８の前部平坦面と継手部材１０５の後部平坦面とを接合させボルト１０６止め固定させて、後フレーム２９を本体側上部に連結してキャビン１８の支持強度や本体の剛性向上を図るように構成している。
【００２２】
図１８乃至図２０に示す如く、前記取付枠８９は平面視門形に形成し、キャビン後フレーム２９の上端に取付枠８９の開口側面８９ａを固定させ、後フレーム２９の後側面と取付枠８９の内側面で形成される支柱嵌合穴１０９にオーガ支柱３６の下端を差し込み、取付枠８９とオーガ支柱３６のピン孔１１０ａに差し込みピン１１０挿入してオーガ支柱３６を取付枠８９に固定させて、排出オーガ１７をオーガレスト３７に収納させた状態で穀物タンク１５の縦排出オーガ１６を中心とした軽量で容易な回動を行うように構成している。
【００２３】
また図２１乃至図２３に示す如く、エンジン２１を内設させる密閉構造のエンジンルームカバー３１の上面にエンジン２１給気用のエアクリーナ１１１を固定させ、キャビン１８の後面に給気管１１２を固定させ、給気管１１２の上側にプリクリーナ１１３を固定させると共に、エアクリーナ１１１の給気口１１４に受口（エアクリーナホース）１１５を固定させ、蛇腹型の伸縮自在な連結管１１６を給気管１１２の下側にホースバンド１１７を介して固定させ、連結管１１６下側の輪形ジョイント部１１８を受口１１５に接離自在に弾圧させて接合させ、キャビン１８のオープン回動時エアクリーナ１１１をカバー３１側に残した状態で給気管１２１とプリクリーナ１１３と一体にキャビン１８を回動させるもので、連結管１１６は上側を前方に傾けた傾斜姿勢に配置させ、キャビン１８の回動時には受口１１５に略垂直にジョイント部１１８を接離させると共に、キャビン１８の通常時（閉回動）には連結管１１６の蛇腹を圧縮させた状態で受口１１５にジョイント部１１８を圧接させて防振構造のキャビン１８が移動しても気密性を保つように構成している。
【００２４】
さらに、前記ホースバンド１１７で連結管１１６を固定する給気管１１２の内周側に鉄パイプ１１９を挿入させて強度を保持すると共に、鉄パイプ１１９の下端側をジョイント部１１８とラップさせて、ジョイント部１１８が受口１１５に圧接するときのガイドとさせるように構成している。
【００２５】
図１４、図１５、図２１、図２２に示す如く、キャビン１８内を冷却する空調装置のコンプレッサ１２０をコンプレッサ台１２１を介しミッションケース２２上面に設置し、ミッションケース２２の右外側に突出させる出力軸１２２とコンプレッサ１２０右外側の駆動軸１２３とをベルト１２４で連動連結させてコンプレッサ１２０の駆動を行い、コンプレッサ１２０からの高温高圧ガス（冷媒）を供給するコンデンサ１２５と、コンデンサ１２５を冷却するクーリングファン１２６と、液体状の冷媒を貯蔵するレシーバー１２７とをキャビン１８の後側に配設させると共に、キャビン１８内の空気と熱交換するエバポレーター１２８をキャビン１８の天井部１２９に配設して、キャビン１８内部の冷却を行うように構成している。
【００２６】
図２４乃至図２７に示す如く、前記運転席２０前側で運転キャビン１８の下前側壁を構成する前側板１３０に左右の弾性膝当て板１３１を固設させるもので、ステアリングコラム１３２を挾むように前側板１３０の上端内側面に左右の膝当て板１３１を載置させて、ステアリングコラム１３２と前側板１３０との隙間を小さくして運転席２０全体に対する作業者の占める居住空間を確保するように構成している。
【００２７】
また、運転席２０の左右両側にも左右の弾性膝当て板１３３を配設させるもので、左サイドコラム１３４の内側面１３５と運転キャビン１８の右側板１３６内側に膝当て板１３３を取外し自在に配置させて、機体が左右方向に傾いて機体に左右方向の力が作用したときにも膝当て板１３３を緩衝部材とさせて、作業者に快適な運転操作を行わせるように構成している。
【００２８】
さらに図２７（１）、（２）に示す如く、前記膝当て板１３１・１３３は上下取付高さ調節可能に設けるもので、図２７（１）に示すものは磁石１３７或いはマジックテープ（Ｒ）を介して、また図２７（２）にも示すものは取付部材である前側板１３０，内側板１３５，右側板１３６に長孔１３８を形成すると共に、ボルト１３９及びナット１４０を介して膝当て板１３１・１３３を各板１３０・１３５・１３６に上下取付高さ調節自在に取付けたものであり、左右或いは前後方向に調節可能とさせても良い。
【００２９】
なお、図中１４１はステアリングコラム１３２の左右側面下側に上下方向に折畳み自在に設ける左右のフットレストである。
【００３０】
図７、図９、図１５、図２８乃至図２９に示す如く、運転キャビン１８の右側入口１４２の下方にキャビン台１４３の乗降用ステップ１４４を配設するもので、機台３の右前フレーム２６と後フレーム１１後方の立設フレーム１４５間に上部ステップ１４６を、右外側縦フレーム４６に下部ステップ１４７を上下２段に配設させている。
【００３１】
前記上部及び下部ステップ１４６・１４７は平面視門形に形成し、ステップ１４６・１４７の中間板部１４６ａ・１４７ａと後板部１４６ｂ・１４７ｂの上面を凹凸状の足踏み面１４８に形成して、前記フレーム２６・１４５右側面に固設するステップ取付板１４９に枢支軸１５０を介し上部ステップ１４６の開放基端側を上下揺動自在に取付けると共に、前記縦フレーム４６右側面に固設する前後ステップ取付板１５１に枢支軸１５０を介し下部ステップ１４７の開放基端に固設する前後枢着板１５２を上下揺動自在に取付け、上部ステップ１４６の前側面と前枢着板１５２間をロッド１５３で連結させて、上部及び下部ステップ１４６・１４７を連動して上下揺動させるように構成している。
【００３２】
また、前記上部フレーム１４６と一体の枢支軸１５０に揺動アーム１５４の基端を固設させ、前記フレーム台７５にシリンダ受け１５５を介し支持する電動シリンダ形ステップシリンダ１５６或いは電動操作式油圧シリンダのピストンロッド１５７先端と揺動アーム１５４先端とを軸１５８を介して連結させて、ステップシリンダ１５６の伸縮動作でもって枢支軸１５０を中心として上部及び下部ステップ１４６・１４７を下動及び上動させ乗降用ステップ１４４の張出及び収納を行うように構成している。
【００３３】
さらに、前記取付板１４９・１５１は先端下側を略直交状に折曲げてステップ受部１４９ａ・１５１ａに形成して、上部及び下部ステップ１４６・１４７の下動時（張出時）に受部１４９ａ・１５１ａにステップ１４６及び枢着板１５２の基端下面を当接させて、乗降用ステップ１４４を張出位置に保持すると共に、下部枢着板１５１の上側を略直交状に折曲げてステップ１４６・１４７上動時（収納時）の規制部１５１ｂに形成して、乗降用ステップ１４４を収納位置に保持するように構成している。
【００３４】
また図２、図３０に示す如く、前記乗降用ステップ１４４を単独で張出位置及び収納位置に操作するステップ張出及びステップ収納操作スイッチ１５９・１６０を運転キャビン１８の入口１４２近傍に配設させ、乗降用ステップ１４４の張出位置を検出するステップ張出位置センサ１６１を取付板１４９に設けると共に、乗降用ステップ１４４の自動張出制御の入切を行う自動張出制御切換スイッチ１６２を運転席２０前方の運転操作部１６３に配置させるステアリングコラム１３２上部の計器パネル１６４の液晶画面上に設け、エンジン２１のキースイッチ１６５と各スイッチ１５９・１６０・１６２と位置センサ１６１をコントローラ１６６に入力接続させると共に、ステップ張出及び収納回路１６７・１６８を介してコントローラ１６６をステップシリンダ１５６に出力接続させて、手動或いは自動による乗降用ステップ１４４の張出及び収納制御を行うように構成している。
【００３５】
本実施例は上記の如く構成するものにして、コンバイン作業開始時のキャビン台１４３に搭乗前にあっては、前記張出操作スイッチ１５９のオン操作でステップ１４４を張出し、キースイッチ１６５をオンとさせて機体の運転を開始するときステップ１４４を自動収納し、作業終了後キースイッチ１６５をオフとさせるときステップ１４４を自動張出してキャビン台１４３より下乗するもので、前記制御スイッチ１６２の切時にあってはキースイッチ１６５がオフとなってもステップ１４４の自動張出しは行わず、張出操作スイッチ１５９のオン操作で任意にステップ１４４の張出しを行うと共に、収納操作スイッチ１６０のオン操作で任意にステップ１４４の収納を行う。
【００３６】
上記からも明らかなように、運転操作台であるキャビン台１４３に乗降する乗降用ステップ１４４を設けたコンバインにおいて、機体外側及び内側に乗降用ステップ１４４を自動で張出及び収納するステップ制御機構であるステップシリンダ１５６を設けると共に、運転開始部材であるキースイッチ１６５にステップシリンダ１５６を連動連結させたことによって、例えばキースイッチ１６５のオン時にはステップ１４４を自動的に収納し、オフ時にはステップ１４４を自動的に張出して、ステップ１４４の自動による確実な収納及び張出しを可能とさせて、ステップ１４４張出しによる作業中の穀稈に対する扱きなどの悪影響や障害物との接触事故などを防止して、刈取性能を安定維持させることができる。
【００３７】
また、キースイッチ１６５とステップシリンダ１５６の連動の入切を行う制御切換部材である制御スイッチ１６２を設けたことによって、例えばキースイッチ１６５のオフ時にステップ１４４を自動的に張出して建物や他機械などに不測に接触させる不都合を解消可能とさせて、ステップ１４４など機体の耐久性向上を図ることができる。
【００３８】
さらに、運転操作部１６３中央の液晶パネルである計器パネル１６４に制御スイッチ１６２を設けたことによって、パネル１６４上の制御スイッチ１６２のタッチ操作で容易にキースイッチ１６５に連動したステップ１４４の張出しや単独の張出しを可能とさせて、ステップ１４４の有効使用を図ることができる。
【００３９】
図３２乃至図３４に示すものは、前記の乗降用ステップ１４４を手動操作で行う構成を示したもので、上部ステップ１４６の前側面に回動軸１６９を介し操作アーム１７０の基端を取付け、操作アーム１７０の先端に下端側を連結させるロッド部材１７１の上端側を、キャビン台１４３の大径貫通孔１７２に嵌合させるゴムブーツ１７３を介しキャビン１８内に臨ませて、キャビン１８内でロッド部材１７１先端の握り操作部１７４を上下操作することによって乗降用ステップ１４４の収納及び張出しを行うように構成している。
【００４０】
また、上部ステップ１４６とステップ取付板１４９間には枢支軸１５０に対する支点越えバネ１７５を張設して、乗降用ステップ１４４を張出及び収納位置に確実に保持するように構成している。
【００４１】
上記からも明らかなように、乗降用ステップ１４４に下端側を連結させて張出及び収納位置に操作するロッド部材１７１を設けると共に、ロッド部材１７１の上端側を運転キャビン１８内の運転席２０近傍に臨ませたことによって、ロッド部材１７１を用いた簡単な手段で運転席２０位置より乗降用ステップ１４４の容易な張出及び収納を行って、キャビン台１４３に対する作業者の乗降を容易とさせると共に、圃場穀稈に対するステップ１４４の悪影響を防止することができる。
【００４２】
【発明の効果】
以上実施例から明らかなように本発明は、運転操作台１４３に乗降する乗降用ステップ１４４を設けたコンバインにおいて、機体外側及び内側にステップ１４４を自動で張出及び収納するステップ制御機構１５６を設けると共に、運転開始部材１６４にステップ制御機構１５６を連動させたものであるから、例えばキースイッチ１６４のオン時にはステップ１４４を自動的に収納し、オフ時にはステップ１４４を自動的に張出して、ステップ１４４の自動による確実な収納及び張出しを可能とさせて、ステップ１４４張出しによる作業中の穀稈に対する扱きなどの悪影響や障害物との接触事故などを防止して、刈取性能を安定維持させることができるものである。
【００４３】
また、運転開始部材１６５とステップ制御機構１５６の連動の入切を行う制御切換部材１６２を設けたものであるから、例えばキースイッチ１６５のオフ時にステップ１４４を自動的に張出して建物や他機械などに不測に接触させる不都合を解消可能とさせて、ステップ１４４など機体の耐久性向上を図ることができるものである。
【００４４】
さらに、運転操作部１６３中央の液晶パネル１６４に制御切換部材１６２を設けたものであるから、液晶パネル１６４上の制御切換部材１６２のタッチ操作で容易にキースイッチ１６５などに連動したステップ１４４の張出しや単独の張出しを可能とさせて、ステップ１４４の有効使用を図ることができるものである。
【００４５】
また、乗降用ステップ１４４に下端側を連結させて張出及び収納位置に操作するロッド部材１７１を設けると共に、ロッド部材１７１の上端側を運転席２０近傍に臨ませたものであるから、ロッド部材１７１を用いた簡単な手段で運転席２０位置よりステップ１４４の容易な張出及び収納を行って、運転操作台１４３に対する作業者の乗降を容易とさせると共に、圃場穀稈に対するステップ１４４の悪影響を防止することができるものである。
【図面の簡単な説明】
【図１】コンバインの全体斜視図。
【図２】同側面図。
【図３】同平面図。
【図４】機体前部の側面説明図。
【図５】同正面説明図。
【図６】本体部の平面図。
【図７】本機フレームの平面図。
【図８】本機フレームの側面図。
【図９】本機フレームの正面説明図。
【図１０】エンジン左側の支持説明図。
【図１１】エンジン右側の支持説明図。
【図１２】エンジンの平面支持説明図。
【図１３】ミッションケース部の側面説明図。
【図１４】連結フレーム部の側面説明図。
【図１５】連結フレーム部の正面説明図。
【図１６】キャビンと脱穀部との側面連結説明図。
【図１７】キャビンと脱穀部との正面連結説明図。
【図１８】オーガ支柱の取付側面説明図。
【図１９】オーガ支柱の取付正面説明図。
【図２０】オーガ支柱の取付斜視説明図。
【図２１】キャビンの背面説明図。
【図２２】エアクリーナ部の側面図。
【図２３】エアクリーナ部の側面説明図。
【図２４】運転部の正面説明図。
【図２５】運転部の側面説明図。
【図２６】運転部の斜視説明図。
【図２７】膝当て板の上下調節説明図。
【図２８】乗降用ステップの正面説明図。
【図２９】乗降用ステップの側面説明図。
【図３０】乗降用ステップの制御回路図。
【図３１】フローチャート。
【図３２】乗降用ステップのロッド部材の正面説明図。
【図３３】乗降用ステップのロッド部材の側面説明図。
【図３４】乗降用ステップの動作説明図。
【符号の説明】
２０　　　運転席
１４３　　キャビン台（運転操作台）
１４４　　乗降用ステップ
１５６　　ステップシリンダ（ステップ制御機構）
１６２　　制御スイッチ（制御切換部材）
１６３　　運転操作部
１６４　　計器パネル（液晶パネル）
１６５　　キースイッチ（運転開始部材）
１７１　　ロッド部材
【図１】
2004113107.tif 000003
【図２】
2004113107.tif 000004
【図３】
2004113107.tif 000005
【図４】
2004113107.tif 000006
【図５】
2004113107.tif 000007
【図６】
2004113107.tif 000008
【図７】
2004113107.tif 000009
【図８】
2004113107.tif 000010
【図９】
2004113107.tif 000011
【図１０】
2004113107.tif 000012
【図１１】
2004113107.tif 000013
【図１２】
2004113107.tif 000014
【図１３】
2004113107.tif 000015
【図１４】
2004113107.tif 000016
【図１５】
2004113107.tif 000017
【図１６】
2004113107.tif 000018
【図１７】
2004113107.tif 000019
【図１８】
2004113107.tif 000020
【図１９】
2004113107.tif 000021
【図２０】
2004113107.tif 000022
【図２１】
2004113107.tif 000023
【図２２】
2004113107.tif 000024
【図２３】
2004113107.tif 000025
【図２４】
2004113107.tif 000026
【図２５】
2004113107.tif 000027
【図２６】
2004113107.tif 000028
【図２７】
2004113107.tif 000029
【図２８】
2004113107.tif 000030
【図２９】
2004113107.tif 000031
【図３０】
2004113107.tif 000032
【図３１】
2004113107.tif 000033
【図３２】
2004113107.tif 000034
【図３３】
2004113107.tif 000035
【図３４】
2004113107.tif 000036